Podtech/llm-jp-corpus-v4-ja_patent huggingface dataset:
(57)【要約】      （修正有）【課題】柔らかく食べやすいスティック状に加工した、牛・豚舌肉のスティック状加熱加工食品を提供する。【解決手段】牛、豚舌肉を板状にスライスし軟化剤を加えて塩漬し加熱、加工後にスジ切り機あるいはミーテンダーによって２〜８ｍｍの幅の細い切れ目２を入れその後に厚さ５ｍｍ〜２ｃｍ、長さ２〜２５ｃｍのスティック状にする。【選択図】図３
0003214532.tif 000002
【実用新案登録請求の範囲】
【請求項１】
加熱、加工後に１〜５ｍｍの刃による切れ目を満遍なく入れる事によって得られる柔らかく食べやすいという特徴を持った牛、豚舌（タン）肉のスティック状加熱加工食品
【請求項２】
塩漬液に肉の軟化剤を加えて塩漬し、加熱、加工することによって柔らかく食べやすいという特徴を持った牛、豚舌（タン）肉のスティック状加熱加工食品
【請求項３】
請求項１記載のスティック状加熱加工食品と請求項２記載のスティック状加熱加工食品の両方の特徴を持ったスティック状加熱加工食品
【考案の詳細な説明】
【技術分野】
【０００１】
本考案は、牛あるいは豚の舌（タン）肉の加熱加工食品に関するものである。
【背景技術】
【０００２】
牛、豚の舌（タン）肉の加熱、加工食品は、薄く輪切り状にスライスした物が一般的に流通している。
【０００３】
牛、豚舌（タン）肉は性質上硬く、タンシチュー等の様に長時間煮込む事によって食されて来た
【先行技術文献】
【特許文献】
【０００４】
特開２００６−２７１３０２
【考案の開示】
【考案が解決しようとする課題】
【０００５】
牛、豚の舌（タン）肉を食肉製品に加工する場合、表面の硬い皮を取り除いた後も舌肉独特の硬さがあり、１〜３ｍｍ程度に輪切り状にスライスしないと硬くて食べにくいという問題点があった。
【０００６】
舌肉を長さ３〜１０ｃｍ太さ５ｍｍ〜２ｃｍ程度のスティック状に加工すれば持ちやすく、つまんでも食べやすい食品が出来るが、タン肉の硬いという性質からスティック状の食品は難しかった。
【０００７】
生のタン肉の状態でスジ切り機あるいは１〜２ｍｍの細い刃のミーテンダーで肉に切れ目を入れる場合、効果が全くない訳ではないがタン肉の繊維が伸びて針で刺した状態になり、加熱、加工後元の硬さに近い状態に戻ってしまうという問題点があった。
【課題を解決するための手段】
【０００８】
牛、豚の舌（タン）肉を太さ５ｍｍ〜２ｃｍ長さ３〜１０ｃｍ程に切断し、加熱、加工後に２〜５ｍｍの刃によるスジ切り機あるいはミーテンダーによって細かな切れ目を入れる事により、スティック状の形状を保持しながら柔らかくつまみやすいスティック状食品を得る事を可能にする方法、あるいは塩漬液に軟化剤を加えて塩漬し、加熱、加工する方法、またはその両方を併用する方法によってスティック状食品の製造を可能にする。
【考案の効果】
【０００９】
スティック状でつまみやすく切れ目が入っているのでそのままの形を保ちながら食べやすく、舌肉独特の歯ごたえのある食感の商品を提供する。
【考案を実施するための最良の形態】
【００１０】
牛舌（タン）肉は表面の硬い皮を取り除いた後厚さ１ｃｍ程度に板状にスライスし、軟化剤を加えて味付け、塩漬を行い、加熱、加工後スジ切り機あるいはミーテンダーによって２〜５ｍｍの細かな切れ目を入れた後に１ｃｍ程度の幅に切ってスティック状の食品とする。
【００１１】
豚舌（タン）肉はそのまま厚さ５ｍｍ〜１ｃｍ程度の板状にスライスして軟化剤を加えて味付け、塩漬を行い、加熱、加工後スジ切り機あるいはミーテンダーによって２〜５ｍｍの細かな切れ目を入れた後に１ｃｍ程度の幅に切ってスティック状の食品とする。
【図面の簡単な説明】
【００１２】
【図１】スライスされた牛、豚舌（タン）肉
【図２】加熱、加工後スジ切り機あるいはミーテンダーで切れ目を入れた牛、豚舌（タン）肉
【図３】加熱、加工後にスティック状に切られた牛、豚舌（タン）肉
【符号の説明】
【００１３】
１    スライスされた牛、豚舌（タン）肉
２    切れ目
【図１】
0003214532.tif 000003
【図２】
0003214532.tif 000004
【図３】
0003214532.tif 000005
【手続補正書】
【提出日】平成29年11月20日(2017.11.20)
【手続補正１】
【補正対象書類名】実用新案登録請求の範囲
【補正対象項目名】全文
【補正方法】変更
【補正の内容】
【実用新案登録請求の範囲】
【請求項１】
幅２〜８ｍｍの切れ目を１〜５ｍｍ間隔で満遍なく入れた牛、豚舌（タン）肉の５ｍｍ〜２ｃｍの太さで、２〜２５ｃｍの長さのスティック状加熱加工食品
【請求項２】
肉の軟化剤を添加してより柔らかくした牛、豚舌（タン）肉の５ｍｍ〜２ｃｍの太さで、２〜２５ｃｍの長さのスティック状加熱加工食品
(57)【要約】      （修正有）【課題】刈払機の刈刃に絡まった草を、簡単な操作によって安全に取り除く機能を備えた飛散物防護カバーを提供する。【解決手段】第一に、刈刃被覆板１、グリップ２及び本体支持部品３を一体化して構成する部分を本体とし、この本体に、刈払機のシャフトに固定するためのシャフト取付部品４を組み合わせた構成であること、第二に、本体とシャフト取付部品４の組み合わせが、シャフト取付部品４に取り付けた接続軸５を本体支持部品３にスライド式で通す仕組みであって、且つ本体支持部品３即ち本体全体がスプリング６の伸展力によってシャフト取付部品４に押し付けられた状態を維持する仕組みであること、第三に、本体を刈払機のハンドル側にスライドさせて刈刃被覆板１と刈刃９の間隔を広げ、この間に刈刃９の回転力を利用して絡まった草を取り除くという操作を容易にするため、本体にグリップ２を設けた構成にしている。【選択図】図１
0003214537.tif 000002
【実用新案登録請求の範囲】
【請求項１】
第一に、刈刃被覆板（１）、グリップ（２）及び本体支持部品（３）を一体化して構成する部分を本体とし、これにシャフト取付部品（４）を組み合わせた構成であること、第二に、本体とシャフト取付部品（４）の組み合わせは、シャフト取付部品（４）に取り付けた接続軸（５）を本体支持部品（３）にスライド式で通す方法によって行い、通常は、本体支持部品（３）及びこれを含む本体が、スプリング（６）の伸展力によってシャフト取付部品（４）側に押し付けられた状態を維持する仕組みであること、第三に、絡まった草を取り除くときは、グリップ（２）を握る方法、又は、ハンドルに取り付けたレバーとワイヤーを使う方法によって本体をハンドル側にスライドさせて刈刃被覆板（１）と刈刃（９）の間隔を広げ、刈刃（９）の回転力を利用して取り除く仕組みであること、第四に、草が取り除かれた後は、グリップ（２）又はレバーを手離すことにより、スプリング（６）の伸展力を利用して本体を元の位置に戻す仕組みであること、という四つの特徴を兼ね備えることによって、飛散物防護の機能を損なうことなく、絡まった草を効率的に取り除く機能を備えた飛散物防護カバー。
【考案の詳細な説明】
【技術分野】
【０００１】
この考案は、刈払機の刈刃に絡まった草を、簡単な操作によって安全に取り除く機能を備えた飛散物防護カバーに関するものである。
【背景技術】
【０００２】
飛散物防護カバーをシャフトに固定する仕組みの刈払機の場合、刈刃と飛散物防護カバーの間に草が絡まって、動力が作動したままの状態で刈刃の回転が停止したときは、動力を停止させてから草を取り除くことが必要である。
【先行技術文献】
【非特許文献】
【０００３】
【非特許文献１】「刈払機（草刈機）の使い方に注意」（平成25 年7 月4 日  独立行政法人国民生活センター）
【考案の概要】
【考案が解決しようとする課題】
【０００４】
動力を停止させて絡まった草を取り除いて再起動するという動作には、作業効率を落とすとともに作業員に精神的な負担をかけるという問題があるため、これを解決する。
【課題を解決するための手段】
【０００５】
この考案による飛散物防護カバーは、刈刃被覆板（１）、グリップ（２）及び本体支持部品（３）を一体化して構成する部分を本体とし、これにシャフト取付部品（４）を組み合わせた構成にする。
【０００６】
本体とシャフト取付部品（４）の組み合わせは、シャフト取付部品（４）に取り付けた接続軸（５）を本体支持部品（３）にスライド式で通す方法によって行い、通常は、本体支持部品（３）及びこれを含む本体が、スプリング（６）の伸展力によってシャフト取付部品（４）側に押し付けられた状態を維持する仕組みにする。
【０００７】
シャフト取付部品（４）は、刈払機のシャフト（７）に対し、刈刃被覆板（１）と刈刃（９）が最適な間隔を保つ位置に取り付けて固定する。
【０００８】
この場合、本体支持部品（３）については、接続軸（５）に沿ってスライドすると同時に、シャフト（７）に沿ってスライドするように取り付けることによって、本体の安定性と滑らかな移動性を確保する。
【０００９】
草が絡まったときは、グリップ（２）を握る方法、又は、ハンドルに取り付けたレバーとワイヤーを使う方法によって本体をハンドル側にスライドさせて刈刃被覆板（１）と刈刃（９）の間隔を広げ、このことによって刈刃の回転力を利用して草を取り除くことができる仕組みにする。
【００１０】
草が取り除かれた後は、グリップ（２）又はレバーを手離すことによってスプリング（６）の伸展力を働かせ、本体を元の位置に戻す仕組みにする。
【考案の効果】
【００１１】
この考案の飛散物防護カバーは、草が絡まったため動力が作動中のまま刈刃の回転が止まった場合であっても、簡単な操作によって、しかも刈刃の回転力を利用して草を取り除くことができるものであり、飛散物防護の機能を損なうことなく、また、作業効率の低下を最小限にしながら草刈り作業を継続することができるようにする。
【００１２】
また、草が絡まることを嫌がって飛散物防護カバーを取り外して使うという誤った使用方法を防ぐことにもつながる。
【図面の簡単な説明】
【００１３】
【図１】飛散物防護カバーの通常の状態を示す平面図である。
【図２】本体をハンドル側にスライドさせた状態を示す平面図である。
【符号の説明】
【００１４】
１  刈刃被覆板
２  グリップ
３  本体支持部品
４  シャフト取付部品
５  接続軸
６  スプリング
７  刈払機のシャフト
８  刈払機のギアボックス
９  刈刃
【図１】
0003214537.tif 000003
【図２】
0003214537.tif 000004
【手続補正書】
【提出日】平成29年11月20日(2017.11.20)
【手続補正１】
【補正対象書類名】実用新案登録請求の範囲
【補正対象項目名】請求項１
【補正方法】変更
【補正の内容】
【請求項１】
第一に、刈刃被覆板（１）、グリップ（２）及び本体支持部品（３）を一体化して構成する部分を本体とし、この本体に、刈払機のシャフトに固定するためのシャフト取付部品（４）を組み合わせた構成であること、第二に、本体とシャフト取付部品（４）の組み合わせが、シャフト取付部品（４）に取り付けた接続軸（５）を本体支持部品（３）にスライド式で通す仕組みであって、且つ本体支持部品（３）即ち本体全体がスプリング（６）の伸展力によってシャフト取付部品（４）に押し付けられた状態を維持する仕組みであること、第三に、本体を刈払機のハンドル側にスライドさせて刈刃被覆板（１）と刈刃（９）の間隔を広げ、この間に刈刃（９）の回転力を利用して絡まった草を取り除くという操作を容易にするため、本体にグリップ（２）を設けた構成にしていること、という三つの特徴を兼ね備えた構造であることによって、飛散物防護の機能を損なうことなく、絡まった草を効率的に取り除く機能を備えた飛散物防護カバー。
(57)【要約】      （修正有）【課題】歩きながらスマートフォン又はタブレットを操作しながらも視覚内に前方方向の景色を把握し危険を回避できる装置を提供する。【解決手段】スマートフォン又はタブレット前面又は側面に複数のミラーを設置し、スマートフォン又はタブレットを持ち歩く際に進行方向の景色を複数のミラーを通して映し出す。【選択図】図２
0003214522.tif 000002
【実用新案登録請求の範囲】
【請求項１】
徒歩進行方向を複数のミラーを通して映し出された画像とスマートフォン又はタブレットの画面とを同時に見える機能を持った装置。
【考案の詳細な説明】
【考案の詳細な説明】
【産業上の利用分野】
【０００１】  徒歩進行方向を複数のミラーを通して映し出された画像とスマートフォン又はタブレットの画面とを同時に見ることにより進行方向の障害物を察知し危険を回避する。
【背景技術】
【０００２】  従来は歩きながらスマートフォン又はタブレットの画面を操作する事で進行方向の状況がわからず人や車、障害物とぶつかる事故が多くあった。
【考案が解決しようとする課題】
【０００３】  これには次のような欠点があった。
（イ）従来は歩きながらスマートフォン又はタブレットの画面を操作する場合、画面と        前方景色とを交互に視線を移す必要があった。
【課題を解決する為の手段】
【０００４】  スマートフォン又はタブレットを持ち歩く際に進行方向の景色をスマートフォン又はタブレット前面又は側面に設置した複数のミラーを通して映し出す事で歩きながらスマートフォン又はタブレットを操作しながらも視覚内に前方方向の景色を把握し危険を回避できるようにした装置である。
【考案実施の形態】
【０００５】以下、本考案の実施例について説明する。
（イ）スマートフォン又はタブレット（１）の前面または側面にミラー（３）を設置し        その上側に景色を映し出すミラー（３）を設置する。［図１、図２］
（ロ）ミラー（３）とミラー（４）は連結棒（５）により連結され、その角度は見やす        いように自由に変えることができる。［図１、図２］
【発明の効果】
【０００６】  これには次のような効果がある。
（イ）スマートフォン又はタブレット等の画面を見ながら歩く場合、歩く方向の状況が        ミラーに映し出されるので視線を本体と前方景色とを交互に切り替える必要がな        く、画面を見るとその視界内に前方の様子をも把握することが出来、障害物を避        けながら歩く事が出来る。
本考案は、これらの効果をもたらすものである。
【図面の簡単な説明】
【図１】  本考案の側面図。
【図２】  本考案の斜視図。
【符号の説明】  １  スマートフォン又はタブレット
２  ミラーを固定する板
３  ミラー（景色側）
４  ミラー（スマホ側）
５  ミラーを連結すつ連結棒
６  連結可動部分
７  ミラーとスマホを固定するクリップ
【図１】
0003214522.tif 000003
【図２】
0003214522.tif 000004
【手続補正書】
【提出日】平成29年8月17日(2017.8.17)
【手続補正１】
【補正対象書類名】実用新案登録請求の範囲
【補正対象項目名】全文
【補正方法】変更
【補正の内容】
【実用新案登録請求の範囲】
【請求項１】
複数のミラーを備えた装置であって、スマートフォン又はタブレットに固定することによって、前記複数のミラーを通して映し出された徒歩進行方向の景色と、前記スマートフォン又はタブレットの画面と、を同時に見ることが可能であることを特徴とする装置。
(57)【要約】      （修正有）【課題】結節網の結節部引っ張り強さの低下を改善し、無結節の横手端における網糸の切りっぱなし状態を改善する網を提供する。【解決手段】結節網の結び合わせ接合を行なわず、無結節網の撚り合わせ接合を行なわず、接合に接合材を用いて接合する。接合剤として、金属線、金属片、または、プラスチックを用いる。金属線または金属片の接合剤の合わせ部を溶接または接着剤接着し、プラスチックの接合剤の合わせ部を熱融着または接着剤接着する。【選択図】図１
0003214524.tif 000002
【実用新案登録請求の範囲】
【請求項１】
網について、結節網の結び結合、いわゆる、接合と、無結節網のより合わせ接合において、その、接合によらず、接合材を用いて接合を行なう網。
【考案の詳細な説明】
【技術分野】
【０００１】  本考案は、接合材を用いた網に関するものである。
【背景技術】
【０００２】  従来、網について、結節網の結び結合、いわゆる、接合と、無結節網のより合わせ接合を行なっている、そのさい、結節網において、結節を人手で行うのが主になり、また、網糸の長手方向の引っ張り強さは、結節、接合部で弱くなる。無結節網においては、網の横手端において、網糸が切りっぱなし状態になる。
【考案の概要】
【考案が解決しようとする課題】
【０００３】  本考案は、前記、背景技術の問題に対応する。接合材により結節接合することにより、結節網の結節部引っ張り強さの低下を少なくし、無結節網においては、網の横手端における、網糸の切りっぱなし状態をなくする。なお、接合材をもちいて製網する場合、機械化が可能であり、製網速度をはやめることが可能である。なお、使用網糸の太さについて、直径、１００ｍｍにおいても製網が可能である。このさい、網糸は繊維製品のほか、フィルム製、および、金属線製においても接合材によることが可能である。
【課題を解決するための手段】
【０００４】  現代、結節網と称し、網糸を結び合わせて結合、いわゆる、接合をしている。手作りを主にしている。この、結合、接合に結び合わせを行わず、接合材を用いて接合する。また、無結節網のより合わせ接合において、より合わせ接合を行わず、接合材を用いて接合する。接合材として、金属線、金属片、プラスチック等を用い、金属線、金属片の併せ部を溶接、または、接着剤接着を行う。プラスチックの合わせ部を熱融着、または、接着剤接着を行なう。このさい、プラスチックの内部に金属線、または、金属片を入れることが可能である。さらに、各結合、接合部全体を加熱融着を図り、また、接着剤により全体接着を図る。
【考案の効果】
【０００５】  本考案による効果として、従来、用いていた網糸よりも大直径の、いわゆる、ロープと称する網糸で製網することが可能である。また、製網の機械化が可能で製網速度を速めることが可能である。
【図面の簡単な説明】
【０００６】
【図１】金属片接合材を用いた網の接合部の図である。
【図２】プラスチック接合材を用いた網の接合部の図である。
【考案を実施するための最良の形態】
【０００７】  各網の用途により、適切な接合材の選定を行う。一例として、漁網の場合、魚類を傷めない接合材選定と加工に熟慮が必要である。
【実施例】
【０００８】  以下、本件の実施の形態を図１から図２に示して説明する。図１の、１は、網糸、２は、金属片接合材であり、金属線を用いることが可能。３は、溶接部、４の、接着剤図は省略。
図２の、１は、網糸、５は、プラスチック接合材、６は、溶着部、７の、接着剤図は省略
【産業上の利用可能性】
【０００９】  本考案による効果は、大直径の網糸、ロープと称する網糸製網が可能である。それにより、網の用途が広がる可能性がある。また、従来の製網に代わり、接合材をもちいるとき、製網速度を速めることが可能である。
【符号の説明】
【００１０】１  網糸、
２  金属片接合材
３  接合材溶接部、または接着剤接着部
５  プラスチック接合材
６  プラスチック溶着部、または、接着剤接着部
【図１】
0003214524.tif 000003
【図２】
0003214524.tif 000004
【手続補正書】
【提出日】平成29年10月18日(2017.10.18)
【手続補正１】
【補正対象書類名】実用新案登録請求の範囲
【補正対象項目名】全文
【補正方法】変更
【補正の内容】
【実用新案登録請求の範囲】
【請求項１】
網について結節網において結び合わせ接合を行なわず、接合に接合材を用いて接合し、無結節網において撚り合わせ接合を行なわず、接合に接合材を用いて接合する網。
(57)【要約】      （修正有）【課題】運転者が発車前に行うシートベルトの装着作業が、より簡単で楽になるシートベルトを提供する。【解決手段】シートベルトの長さ方向中央に切れ目を入れる。運転者は、前方を向いたまま、中指（或は掌）でシートベルトの雄を探し当て、掴む事ができるので、シートベルトの装着が極めて楽になる。【選択図】図２
0003214528.tif 000002
【実用新案登録請求の範囲】
【請求項１】
シートベルトの長さ方向中央に切れ目を入れる事により、運転者が上半身を動かす事なく、前方を向いたままで、肩に挙げた片手の中指（或は掌）を、切れ目に通し入れ、指の腹が切れ目内を下がり、シートベルトの固着器・雄（以下、単に雄と言う）を探し当てた処で、雄を掴み、腕の力でシートベルトを巻取り装置から引き出し、固着器・雌（以下、単に雌）まで誘導し、雄と雌を合体させるまでの一連の動作が簡単で楽になる。
【請求項２】
シートベルトの長さ方向中央に開けた切れ目に刺した指で、雄を探し当て掴む事ができるので、運転者が、ドアとの隙間が狭い為、シートベルトを掴むまでの、面倒な体型動作から解放され、シートベルトの装着が楽になる。
【請求項３】
切れ目はシートベルト全長に入れる必要なく、運転者の肩付近から腰辺りまで良い。
【考案の詳細な説明】
【技術分野】
【０００１】  本考案は、運転者がシートベルトを装着する際の、最初の窮屈で、面倒な作業を排し、簡単で楽にシートベルトを装着できる様にするものである。
【考案の開示】
【考案が解決しようとする課題】
【０００２】  車を発車させる直前の、運転者が運転席にてシートベルトを装着する際、シートベルトの雄を、雌位置まで誘導する動作は、次の順序で行なわれる。【０００３】  １．先ず、片手を、肩まで持ち上げ、手首でシートベルトのたるみ部を軽く掴み、
２．次に、シートベルトを掴んだ手は、雄の位置まで下がり、
３．手首で雄をしっかりと掴み、腕の力でシートベルトのたるみ部を巻取り装置から引き出して、運転席横の反対側に固定されている雌位置まで誘導し、雄を雌内へ挿入合体させて、シートベルトの装着作業が完了する。【０００４】    以上の３つの動作の内、１．のシートベルトを掴む際、運転者はドアとの隙間が狭い為、ベルトを掴むのに、肘を曲げ、弐の腕を脇に付け、又は上半身を捩って、手首で、肩付近にあるシートベルトを掴まなければならない。
これが、運転者にとっては、面倒な動作となっている。
【課題を解決する為の手段】
【０００５】  そこで、シートベルトの長さ方向中央に切れ目を入れ、運転者が、上半身を捩らなくても、前方を向いたまま、手首の中指（或は掌）をシートベルトの切れ目に刺し入れ、指の腹で切れ目内を下に進み、雄を探し当てた処で、雄をしっかりと掴み、腕の力でシートベルトのたるみ部を巻取り装置から引き出し、雌位置まで誘導し、雄を雌と合体させる一連の装着動作が極めて簡単で楽になる。
【０００６】    切れ目はシートベルト全長に入れる必要なく、運転者の肩から腰辺りまで入れるだけで良い。
【考案を実施する為の最良の形態】
【図面の簡単な説明】
【０００７】    図１は、運転者が、上半身を捩る事なく、前方向いたまま、片手の指を、自分の肩付近に在るシートベルトの切れ目に通し入れるところ【０００８】    図２は、中指（或は掌）を、切れ目に入れたところ
【図１】
0003214528.tif 000003
【図２】
0003214528.tif 000004
【手続補正書】
【提出日】平成29年10月21日(2017.10.21)
【手続補正１】
【補正対象書類名】実用新案登録請求の範囲
【補正対象項目名】全文
【補正方法】変更
【補正の内容】
【実用新案登録請求の範囲】
【請求項１】
シートベルトの長さ方向、中央に切れ目を入れる事により、運転者が上半身を動かす事なく、前方を向いたままで、肩に挙げた片手の中指または掌を、切れ目に通し入れ、指の腹が切れ目内を下がり、シートベルトの固着器・雄（以下、単に雄と言う）を探し当てた処で、雄を掴み、腕の力でシートベルトを巻取り装置から引き出し、固着器・雌（以下、単に雌）まで誘導し、雄と雌を合体させるまでの一連の動作が簡単で楽になるシートベルト。
【請求項２】
切れ目はシートベルト全長に入れる必要はなく、運転者の肩付近から腰辺りまで入れるだけで良い請求事項１に記載のシートベルト。
(57)【要約】【課題】経年による侵入雨水害を防止するとともに、現地での作業簡略化に寄与しうる墓用の構成墓石を提供する。【解決手段】墓に用いる各墓石形成において、一の石材にてこの墓石を形成したことを特徴とする。【選択図】図１
0003214553.tif 000002
【実用新案登録請求の範囲】
【請求項１】
墓に用いる墓石形成において、一の石材にて、墓を構成する各墓石を各々形成したことを特徴とする墓用石材一体型構成墓石。
【請求項２】
敷石を、その中央に骨穴を有する板状石材にて形成してなる請求項１記載の墓用石材一体型構成墓石。
【請求項３】
芝台を一石材にて形成してなる請求項１記載の墓用石材一体型構成墓石。
【考案の詳細な説明】
【技術分野】
【０００１】  この考案は、コンクリートを用いない石材一体型の構成墓石に関する。
【背景技術】
【０００２】  従来より、墓は複数の石材の集合体として任意の形状・構成物として形成され、墓は各構成墓石の集合物として構成される。構成墓石の一つに敷石がある。この敷石形成は従来はコンクリートと石材を用いて形成されており、本案にて示すように、敷石を石材のみで形成したものは現在のところ見当たらない。
【考案の概要】
【考案が解決しようとする課題】
【０００３】  従来の敷石形成に際しては、既述のようにコンクリートと石材を用いて形成され、その上面は複数の石材を配置するとともに、この石材の隙間をコーキングして目地として形成されるものである。そのために敷石作成についてはそれなりの手間と時間を要し、また目地の経年劣化によりひび割れを生じ、このひび割れに雨水が侵入し、冬期には侵入雨水等が凍結するために敷石板が持ち上がるなどの問題があった。
本案は以上に鑑み、敷石等を石材一体型とすることにて、既述の問題を解消できる新規かつ有用なる手段を提供することを目的として発案されたものである。
【課題を解決するための手段】
【０００４】  課題を解決する手段として本案は以下の構成とした。
すなわち、墓に用いる墓石形成において、一の石材にて、墓を構成する各墓石を各々形成する。本案は以上の構成よりなる墓用石材一体型構成墓石である。
【考案の効果】
【０００５】  本案によれば、敷石形成においては従来法のように複数の敷石板を用いずに石材一体型とするので、従来法で問題となっていた雨水侵入による種々の問題を解消し得る有益なる敷石形成手段を得ることができる。また、コンクリート使用に伴う従来法に比べて墓石構成作業の簡略化ができる。また、敷石以外の各構成墓石においても一の石材にて形成可能である。
【図面の簡単な説明】
【０００６】
【図１】本考案の斜視図
【図２】本考案の使用状態図（洋風墓）
【図３】本考案の別例の斜視図
【図４】本考案の別例の使用状態図（和風墓）
【図５】従来例の平面図
【図６】従来例の構成説明図（中央横断面・一部略）
【図７】従来型の芝台説明図
【図８】本案推奨の芝台説明図
【考案を実施するための最良の形態】
【０００７】  以下、本考案の実施形態について説明する。
図において、１は本案による敷石本体で、平面視方形所定厚の石板、２は該敷石本体中央に形成される骨穴で、平面視方形の穴である。３は滑り止め加工部で、本敷石上面の中央から前方にかけてサンドブラスト加工にて斜方格子状に設けた部分である。
図２は本案の使用状態を示す図である。敷石本体上に芝台１０、上台１１、竿石１２が順に重ねられて固着され、他に供物台１３、水鉢１４、花立て１５等が設けられる。
図２は洋風の墓であり、図３と図４は和風用の敷石と全体図である。【０００８】  図５および図６は従来例の敷石である。図において、２０は基礎コンクリートで、現地にて型枠を用いて形成され、図のごとく段部を有しており、段部下方は地下に埋設状態となる。２１は石棒状の縁石で、基礎コンクリートの段部にモルタルにて固着される。
２２は敷石板で、基礎コンクリート上面にモルタルにて固着設置される。
この敷石板は図のように複数枚が隣り合わせに設けられるが、施工の関係で隣り合う敷石板は３〜５ミリメートルほどの間隙を有し、この間隙にコーキングにて目地が設けられる。以上が従来の敷石形成である。【０００９】  以上、本案と従来例について記したが、本案は敷石を石材一体型にて形成するところにその特徴を有するものである。従来は既述のようにコンクリートを用いた施工であるために、形成に手間と時間を有し、雨天等にては施工ができない。
敷石形成において、従来法では石材量が少なくなって材料費負担が小さいというメリットを有するが、以下のような問題があった。
すなわち、コンクリート上にモルタルにて複数枚の敷石板を敷き詰めるが、既述のように目地が必要となる。この目地は経年変化にて劣化してひび割れを生じ、ここに雨水等の侵入が発生する。寒冷地においては冬期にはこの侵入雨水が凍結して石材を持ち上げることとなり、墓石に悪影響を及ぼす。また地震が発生した場合、その震度によっては石材が落ち込むという問題があったのである。【００１０】  本案は既述のごとく、石材一体型の敷石としたために、このような問題が発生せずに安定した墓石形成を可能としたのである。また、あらかじめ加工した敷石を現地に運んでの施工であるために、従来法に比して作業の手間と時間の節約にもなるのである。
なお、図のように本案は洋風和風いずれの墓にも対応が可能である。
また、図７にて示すように、芝台は従来は複数の石材を相互固着にて形成しており、この芝台上に上台が位置している。図のごとく芝台中央には孔があるが、地震によりこの芝台の固着石材が固着が離れ分離する場合があり、そうなると孔が広がって上台が孔に落ち込んでしまう恐れがある。これを防ぐために、本案では図８のように芝台を一体石材にて形成することを推奨するものである。なお、既述の芝台一体形成方式は、中台や上台あるいは竿石など他の構成墓石および上台と竿石の一の石材による形成にも利用可能である。
以上のごとく、本案によって種々の利点を有する墓用の敷石を得ることができる。
【符号の説明】
【００１１】  １  敷石本体
２  骨穴
３  滑り止め加工部
１０  芝台
１０ａ  芝台
１１  上台
１２  竿石
１３  供物台
１４  水鉢
１５  花立て
１６  墓誌
２０  基礎コンクリート
２１  縁石
２２  敷石板
【図１】
0003214553.tif 000003
【図２】
0003214553.tif 000004
【図３】
0003214553.tif 000005
【図４】
0003214553.tif 000006
【図５】
0003214553.tif 000007
【図６】
0003214553.tif 000008
【図７】
0003214553.tif 000009
【図８】
0003214553.tif 000010
(57)【要約】      （修正有）【課題】通常の本として楽しみながら観賞でき、閉込み袋からキャラクターグッズなど、取り出して、ストラップやシオリ、ステッカーを作ったりして楽しみが増える本を提供する。【解決手段】袋の開口部４に開閉チャック２を設けた閉込み袋５を、本の閉込部分１または本の台紙部分３に固定し、さらに台紙部分に切取り線９を設けてなる、閉込み袋を装着した本である。【選択図】図１
0003214552.tif 000002
【実用新案登録請求の範囲】
【請求項１】
袋の開口部（４）に開閉チャック（２）を設けた閉込み袋（５）を、本の閉込部分（１）または本の台紙部分（３）に固定して、さらにこの台紙部分（３）に切取り線（９）を設けてなる、閉込み袋を装着した本。
【考案の詳細な説明】
【技術分野】
【０００１】  本考案は、いろいろな付録等を入れる袋を設けた、本に関するものである。
【背景技術】
【０００２】  従来、本はそのまま読んで、観賞して楽しむように扱われている。
【考案が解決しようとする課題】
【０００３】  そこで本にもっと想像や夢を持たせて、生活の中でもっと役立ように、置かれているだけで人々に何か訴えるものが、あるような存在にしたい。つまり楽しいとか便利だとか、綺麗とか、凄いとか、利用者の感情感性に何か暖かいものが流れる様な物にしたい。しかし、そこまで考えたものは皆無であった。
これらの問題点を改善し、今までにない有効な考案がなされたのである。
【課題を解決するための手段】
【０００４】まず、袋の開口部（４）に開閉チャック（２）を設けた閉込み袋（５）を用意する。次に図１図２のごとく、この閉込み袋（５）の端面（８）を、本の閉込部分（１）に装着固定する。
また閉込み袋（５）の端面（８）または３方部位（６）を本の台紙部分（３）に糊接着（７）する。
さらに台紙部分（３）を容易に切取れるように、切取り線（９）を設ける。この閉込み袋（５）の材料としては、透明ビニール、非透明ビニール、布、紙、皮素材、その他の素地を利用しても良い。さらにこの閉込み袋（５）の中には、シオリやステッカーそしてストラップ、皮製品のキャラクターグッズなどの付録が入れられる。
本考案は以上のような特徴よりなる、閉込み袋を装着した本である。
【考案の効果】
【０００５】  本考案は、閉込み袋があるので、最初から袋に入れられているグッズで楽しむ事ができ、また自分の書類等のファイル入れとして利用できる。また開閉チャックのお陰で中身が脱落しない。またこの考案は本だけでなく、手帳類にも採用出来る。
【考案を実施するための最良の形態】
【０００６】  まず、袋の開口部（４）に開閉チャック（２）を取付けた、閉込み袋（５）を用意する。そして図１に示すように、この閉込み袋（５）の端面（８）を、本の閉込部分（１）に装着して固定する。またこの端面（８）を閉込部分（１）に沿わして、台紙部分（３）に糊接着（７）しても良い。あるいは、閉込み袋（５）の３方部位（６）を、本の台紙部分（３）に糊接着（７）して装着固定する。さらに台紙部分（３）を切取れるように、これに切取り線（９）を設ける。
また袋の素材として、透明ビニール、非透明ビニール、布、紙、皮などを利用しても良い。この閉込み袋（５）にはステッカーやシオリ、ストラップ、また本のテープに沿った、いろいろな、グッズや物などが付録として入っている。
本考案は以上のような構成であり、これを使用実施するときには、【０００７】  通常の本として楽しみながら観賞でき、閉込み袋（５）からキャラクターグッズなど、取り出して、ストラップやシオリ、ステッカーを作ったりして。楽しみが増える。
【図面の簡単な説明】
【０００８】
【図１】  本考案の閉込み装着図である。
【図２】  本考案の糊接着説明図である。
【符号の説明】
【０００９】        １  閉込部分
２  開閉チャック
３  台紙部分
４  開口部
５  閉込み袋
６  ３方部位
７  糊接着
８  端面
９  切取り線
【図１】
0003214552.tif 000003
【図２】
0003214552.tif 000004
(57)【要約】      （修正有）【課題】自分で写真や小さな絵画を展示でき、学校や各種カルチャー教室などでは、生徒の作品の写真等を、展示でき、職場では、職員の写真等を収め、職員紹介に使用できる枠組み（ボード）を提供する。【解決手段】写真等をはめ込むことができる小さなフォトフレーム（セル）を複数個（たとえば１６個）はめ込んで搭載できる枠組み（ボード）である。【選択図】図１
0003214542.tif 000002
【実用新案登録請求の範囲】
【請求項１】
この考案は、小さなフォトフレームを複数個はめ込んで搭載できるフレーム（枠組み、ボード）である。
【考案の詳細な説明】
【考案の詳細な説明】
この考案は、小さなフォトフレーム（以降「セル」と記す）を複数個（たとえば１６個）はめ込んで搭載できる枠組み（以降「ボード」と記す）である。
自分で写真や小さな絵画をはめ込んだセルをボードに搭載し、展示できる。また、学校や各種カルチャー教室などで、生徒の作品の写真等をセルに収め、展示できる。又職場では、職員の写真等をセルに収め、職員紹介等に使用できる。
【図面の簡単な説明】
【図１】  本案の正面図
【符号の説明】（１）はボード
（２）はセル
【図１】
0003214542.tif 000003
(57)【要約】【課題】本考案は、着ぐるみ本体に表示用タブレット端末を着脱自在に装着し、入力用タブレット端末に記載した文字を、ミラーリング機能を利用して、表示用タブレット端末に文字を反映させることで、周囲の人々と容易にコミュニケーションを取れるようにする。【解決手段】本考案は、着ぐるみ本体１と、着ぐるみ本体の前面に着脱自在に装着した表示用タブレット端末３と、入力用タブレット端末４を備えて、入力用タブレット端末４の操作で、表示用タブレット端末３の表示画面に文字を表示させることが可能となる。【選択図】図１
0003214548.tif 000002
【実用新案登録請求の範囲】
【請求項１】
着ぐるみ本体と、着ぐるみ本体の前面に着脱自在に装着した表示用タブレット端末と、入力用タブレット端末を備えて、入力用タブレット端末の操作で、表示用タブレット端末の表示画面に文字を表示させることを可能とした着ぐるみ。
【考案の詳細な説明】
【技術分野】
【０００１】  本考案は、着ぐるみに装着した表示用タブレット端末を利用して、周囲の人々とコミュニケーションを取る着ぐるみに関するものである。
【背景技術】
【０００２】  着ぐるみが周囲の人々とコミュニケーションを取るには、自ら声を発する方法と、紙とペンを利用して筆談する方法がある。また、先行技術として着ぐるみにモニターを備えたものがあるが、それは動画等を映し出すだけのものであり、周囲の人々とコミュニケーションを取るものではない。
【先行技術文献】
【特許文献】
【０００３】
【特許文献１】特開２０１２−２２６４５５
【考案の概要】
【考案が解決しようとする課題】
【０００４】  着ぐるみの中に入る人間が声を発する場合は、入る人間が限定され、他の人間が代役することは出来ない。また、紙とペンを利用して筆談する方法は、手の短い着ぐるみにとって筆談することが難しく、実現性は低い。これらの従来技術では、周囲の人々とコミュニケーションを取ることが極めて困難である。従って、着脱自在の表示用タブレット端末と、入力用タブレット端末を利用して文字を表示させることで、前述の欠点を解決しようとするものである。
【課題を解決するための手段】
【０００５】  本考案は、着ぐるみ本体の前面に表示用タブレット端末を装着し、ミラーリングという機能を利用して、入力用タブレット端末に記載した文字が、前面に装着した表示用タブレット端末に反映されるものである。着ぐるみの中に入る人間、もしくは周囲のスタッフが入力用タブレット端末に文字を記載することで、表示用タブレット端末にその文字を反映させることができ、周囲の人々とコミュニケーションを取ることが可能となる。
【考案の効果】
【０００６】  上述のように、本考案は声を発することなく、また、紙やペンを用いることなく、着ぐるみの意思を容易に伝えることができるため、周囲の人々とのコミュニケーションで大きく役立つ。
【図面の簡単な説明】
【０００７】
【図１】本考案に用いる表示用タブレット端末を装備した着ぐるみの正面図である。
【考案を実施するための形態】
【０００８】  着ぐるみ本体に装着する表示用タブレット端末には、ミラーリングを実現させる受信プログラムをインストールし、入力用タブレット端末（例えばｉＯＳデバイス）とミラーリングできる環境を構築する。本考案でいう「ミラーリング」とは、ワイヤレスのデータ転送機能を使い、手元の端末の操作をリアルタイムに他の端末に反映・表示させることである。双方のタブレット端末を同じネットワーク回線に接続することで、このミラーリングが実現可能となる。
【実施例】
【０００９】  以下、添付図面に従って一実施例を説明する。着ぐるみ本体１に、入力用タブレット端末４とスタイラスペン５を持った、人間２が入る。受信プログラムを内蔵した表示用タブレット端末３は、タブレットケース６に収納する。タブレットケース６は四つ角にマグネット７を有し、着ぐるみ本体１の内側にも、タブレットケース６が装着される箇所に対して、四つ角にマグネット７を有している。こうして、着ぐるみ本体１にあるマグネット７と、タブレットケース６にあるマグネット７により、タブレットケース６が着ぐるみ本体１との間で着脱自在となる。【００１０】  人間２は、表示用タブレット端末３に内蔵してある受信プログラムを起動させる。人間２は、スタイラスペン５を持ち、入力用タブレット端末４に、周囲の人々とのコミュニケーションを可能とする文字を、ペイントソフト（お絵描きアプリ）等を利用して記載する。入力用タブレット端末４に記載された文字が、ワイヤレスで表示用タブレット端末３に転送され、表示用タブレット端末３に同じ文字がリアルタイムで表示される。上述の方法は、例えばアップル社の「ＡｉｒＰｌａｙミラーリング」を利用することも出来る。
【符号の説明】
【００１１】１  着ぐるみ本体
２  人間
３  表示用タブレット端末
４  入力用タブレット端末
５  スタイラスペン
６  タブレットケース
７  マグネット（四つ角）
【図１】
0003214548.tif 000003
(57)【要約】      （修正有）【課題】何時でも、又、如何なる場所でも、使用出来、穴を開けることがなく、熱接着、金具等による追加使用の手間も係らないクリアブック用袋を提供する。【解決手段】合成樹脂性クリアブック用ダブル袋において、袋の表面１中央に、袋の底方向に向けて折りたたみ用の、折りたたみ熱接着部３を形成し、袋の裏面２における折りたたみ熱接着部３の部分に、粘着剤４を塗布する。合成樹脂性クリアブック用シングル袋においては、表面端部に、折りたたみ熱接着部を形成し、裏面端部に、粘着剤を塗布する。【選択図】図２
0003214549.tif 000002
【実用新案登録請求の範囲】
【請求項１】
合成樹脂性クリアブック用ダブル袋において、袋の表面に中央に、袋の底方向に折りたたみ用の、折りたたみ熱接着部を形成する、さらに、袋の裏面に、袋の表面の中央の折りたたみ用の折りたたみ熱接着部の、袋裏面に粘着剤を塗布された、クリアブック用袋。
【請求項２】
合成樹脂性クリアブック用シングル袋の、袋の表面の袋端部に、袋の底方向に折りたたみ用の、折りたたみ熱接着部を形成する、さらに、袋の裏面に、表面の折りたたみ熱接着部、裏面に粘着剤を塗布された、クリアブック用袋。
【考案の詳細な説明】
【技術分野】
【０００１】  クリアブックに使用する、クリアブツク用袋に関する。
【背景技術】
【０００２】  クリアブックに使用する、クリアブック用袋であって、クリアブックの追加の、クリアブック用袋である。
【考案の概要】
【考案が解決しようとする課題】
【０００３】  クリアブック用袋は、袋の中央を熱接着させた物、まては、ホッチキス、ビョウ、専用の金具等が、使用されている。【０００４】  クリアブック用袋は、袋の中央に、取り付け具用の４穴、又は、２６穴等がを成型されいいる。
【考案が解決するための手段】
【０００５】  合成樹脂性クリアブック用ダブル袋において、袋の表面に中央に、袋の底方向に折りたたみ用の、折りたたみ接着部を形成する。
【０００６】  上記、合成樹脂性クリアブック用ダブル袋の裏面に、袋の表面の中央の折りたたみ用の折りたたみ接着部の、袋の裏面に粘着剤を塗布する、クリアブック用ダブル袋。
【０００７】  合成樹脂性クリアブック用シングル袋は、合成樹脂性クリアブック用シングル袋において、袋の表面片側を、袋の底方向に、折りたたみ用の、折りたたみ接着部を形成する。
【０００８】  合成樹脂性袋の表面の折りたたみ接着部、裏面に粘着剤を塗布する、クリアブック用シングル袋。
【０００９】  本考案の手段において、粘着剤を用いて、自由に何時でも、粘着剤にて、貼り付けて使用することができる。
【００１０】    本考案の手段において、粘着剤を、両面接着テープを使用することもある。
【考案の効果】
【００１１】  本考案のクリアブック用袋は粘着剤にて、何時何時でも、又、如何なる場所でも、追加使用が出来る。
【００１２】  本考案のクリアブック用袋は、従来のクリアブック用袋のように、袋に穴を開けることがない。
【００１３】  従来のように、熱接着、または、金具等による追加使用の手間が係らない。
【００１４】合成樹脂性クリアブック用ダブル袋、シングル袋が自由に追加する事が出来る。
【考案の実施するための形態】
【００１５】  本考案の実施の形態を図面を参照しながら詳細に説明する。なお、以下の説明にあたって、同一構成要件については、同一符号を付けて、重複した説明を省略する。
【００１６】  合成樹脂性クリアブック用ダブル袋において、袋の表面１中央に、袋の底方向に折りたたみ用の、折りたたみ接着部３を形成する、
【００１７】  上記合成樹脂性クリアブック用ダブル袋の、袋の裏面２に、袋の表面の中央の折りたたみ用の折りたたみ接着部３に、袋の裏面２に粘着剤４を塗布する。
【００１８】  合成樹脂性クリアブック用シングル袋の、表面５に、折りたたみ接着部７を形成する。
【００１９】  合成樹脂性クリアブック用シングル袋の、表面折りたたみ接着部、裏面６に、粘着剤塗布を塗布８する。
【００２０】  合成樹脂性クリアブック用ダブル、シングル袋が、粘着剤塗布面４にて、自由に、取り付け、取り外しが出来る。
【００２１】  折りたたみ接着部３形成部において、折りたたみが自由に出来る。
【図面の簡単な説明】
【図１】  合成樹脂性クリアブック用ダブル袋の、表面１に、折りたたみ熱接着部３平面図。
【図２】  図１の裏面２、粘着剤塗布面４平面図。
【図３】  合成樹脂性クリアブック用シングル袋の、表面５、折りたたみ接着部７形成平面図。
【図４】  図３の裏面６、粘着剤塗布面８平面図。
【符号の説明】  １  合成樹脂性クリアブック用ダブル袋の表面。
２  合成樹脂性クリアブック用ダブル袋の裏面。
３  合成樹脂性クリアブック用ダブル袋の折りたたみ用の折りたたみ接着部。
４  合成樹脂性クリアブック用ダブル袋の粘着剤塗布面。
５  合成樹脂性クリアブック用シングル袋の表面。
６  合成樹脂性クリアバック用シングル袋の裏面。
７  合成樹脂性クリアブック用シングル袋の折りたたみ用折りたたみ接着部。
８  合成樹脂性クリアブック用シングル袋の粘着剤塗布面。
【図１】
0003214549.tif 000003
【図２】
0003214549.tif 000004
【図３】
0003214549.tif 000005
【図４】
0003214549.tif 000006
(57)【要約】      （修正有）【課題】展示物、特に宝飾品の輝きを最大限のものにしてその魅力を存分に示すことができる展示ケースを提供する。【解決手段】展示物の展示スペースの天井壁２に照明具７を備えた展示ケースにおいて、照明具を支持する部材を回転自在な回転盤３で構成した。回転盤には複数の照明具が支持され、回転盤はモータ４により駆動され、モータは天井壁を底面とする展示ケース最上部の室に設けられる。【選択図】図２
0003214366.tif 000002
【実用新案登録請求の範囲】
【請求項１】
展示物の展示スペースの天井壁に照明具を備えた展示ケースにおいて、照明具を支持する部材を回転自在な回転盤で構成したことを特徴とする展示ケース。
【請求項２】
前記回転盤には複数の前記照明具が支持されている請求項１に記載の展示ケース。
【請求項３】
前記回転盤はモータにより駆動される請求項１に記載の展示ケース。
【請求項４】
前記モータは前記天井壁を底面とする展示ケース最上部の室に設けられる請求項３に記載の展示ケース。
【考案の詳細な説明】
【技術分野】
【０００１】
本考案は展示ケースに関し、特に、展示スペースの天井壁に照明具を備えた展示ケースに関する。
【背景技術】
【０００２】
宝飾品、貴金属製品、美術工芸品などを展示する手段としての展示ケースにおいて、展示物がよく見えるように展示スペースの天井壁に照明手段を備えたものがある。一般には、特許文献１及び特許文献２のように、照明手段が固定されているため、展示物に当てられる光の照度が展示物の部位によりむらがあり、強く当てられる部分と弱く当てられる部分、それに影になる部分が生じてしまう問題がある。
【０００３】
そこで、特許文献３のように、光を光源から直接展示物に照射せず、発光パネルを透して間接的に展示物を照らすことにより、照度のむらを低減し、影が生じにくくした展示ケースがある。しかし、こうした照明は光が柔らかなため宝飾品等の輝きを目立たす役目を果たさず、宝飾品等の照明として適しているとはいい難いものであった。
【先行技術文献】
【特許文献】
【０００４】
【特許文献１】実用新案登録第３１２１７００号
【特許文献２】特開２０１０−１０４６１３
【特許文献３】特開２０１３−９４４４６
【考案の概要】
【考案が解決しようとする課題】
【０００５】
本考案は前記のような問題点を解消するためになされたもので、その目的とするところは、影を目立たせずに展示品の全体に亘り満遍なく照明を当てることができ、展示物、特に宝飾品の輝きを最大限のものにしてその魅力を存分に示すことができる展示ケースを提供することにある。
【課題を解決するための手段】
【０００６】
上記目的を達成するため本考案は、展示物の展示スペースの天井壁に照明具を備えた展示ケースにおいて、照明具を支持する部材を回転自在な回転盤で構成したことを特徴とする。
【０００７】
前記回転盤には複数の前記照明具が支持されていることを特徴とする。
【０００８】
前記回転盤はモータにより駆動されることを特徴とする。
【０００９】
前記モータは前記天井壁を底面とする展示ケース最上部の室に設けられることを特徴とする。
【考案の効果】
【００１０】
本考案によると、影を目立たせずに展示品の全体に亘り満遍なく照明を当てることができ、展示物、特に宝飾品の輝きを最大限のものにしてその魅力を存分に示すことができる展示ケースとすることができる。この効果は回転盤には複数の照明具を支持させることにより一層高めることができる。回転盤を駆動するモータを天井壁を底面とする展示ケース最上部の室に設けることにより、外観上従来の展示ケースとあまり変わらない展示ケースにすることができる。
【図面の簡単な説明】
【００１１】
【図１】本考案に係る展示ケースの第１実施例を示す正面斜視図である。
【図２】最上部室の断面図である。
【考案を実施するための形態】
【００１２】
【実施例】
【００１３】
以下添付図面を参照して本考案の実施例を説明する。
図１及び図２は本考案による展示ケースの一実施例を示している。
【符号の説明】
【００１４】
１  展示スペース
２  天井壁
３  回転盤
４  モータ
５  出力軸
６  固定具
７  照明具
８  コード
９  コード通路
２１  天板
【図１】
0003214366.tif 000003
【図２】
0003214366.tif 000004